(57)【要約】      （修正有）【課題】エリア枠内の画像部分を拡大する場合に違和感を与えない画像再生装置，画像再生方法，画像再生プログラムを提供する。【解決手段】画像40には，ぼけていない部分41と，ぼけている部分画像42と，が含まれている。そのような画像40内にエリア枠50が表示される。画像40がぼけていない部分41からぼけている部分42にエリア枠50が移動させられた場合のように，移動前後のエリア枠50に含まれている画像部分のデフォーカス量の差が閾値以上となると，移動後のエリア枠50に含まれている画像部分は，ピント面に相当する画像として選択的に表示され，かつ複数段階の電子ズーム倍率で順次拡大される。ユーザは違和感を生じない。【選択図】図８
2015186187.tif 000002
【特許請求の範囲】
【請求項１】
複数の視点位置から撮像して得られた多視点画像データから生成された画像を表示装置の表示画面に表示させる画像表示制御手段，
前記画像の一部領域を拡大する拡大エリアを特定するエリア枠を，前記表示画面に表示される画像上に表示させるエリア枠表示制御手段，
前記エリア枠表示制御手段によって表示されたエリア枠の表示位置を移動する表示位置移動手段，
前記表示位置移動手段によって表示位置が移動する前のエリア枠に含まれる画像部分と，前記表示位置移動手段によって表示位置が移動した後のエリア枠に含まれる画像部分と，のデフォーカス量の差が，閾値以上か否かを判定するデフォーカス量判定手段，および
前記デフォーカス量判定手段によって前記デフォーカス量の差が閾値以上と判定されたことにより，前記表示位置移動手段によって表示位置が移動した後のエリア枠に含まれる画像部分を，ピント面に相当する画像として選択的に表示させ、かつ複数段階の電子ズーム倍率で順次拡大する画像拡大手段，
を備えた画像再生装置。
【請求項２】
前記画像拡大手段は，
前記デフォーカス量判定手段によって前記デフォーカス量の差が閾以上と判定されたことにより，前記表示位置移動手段によって表示位置が移動した後のエリア枠に含まれる画像部分を，ピント面に相当する画像として選択的に表示させ、かつ複数段階の電子ズーム倍率で，等倍から予め定められた倍率まで順次拡大する，
請求項１に記載の画像再生装置。
【請求項３】
前記画像拡大手段は，
前記デフォーカス量判定手段によって前記デフォーカス量の差が閾以上と判定された場合には，前記表示位置移動手段によって表示位置が移動した後のエリア枠に含まれる画像部分を，第１の時間以内でピント面に相当する画像として選択的に表示させ、かつ複数段階の電子ズーム倍率で順次拡大するものであり，前記デフォーカス量判定手段によって前記デフォーカス量の差が閾未満と判定された場合には，前記表示位置移動手段によって表示位置を移動した後のエリア枠に含まれる画像部分を，前記第１の時間よりも短い第２の時間で，ピント面に相当する画像として選択的に表示させ、かつ予め定められた電子ズーム倍率まで拡大する，
請求項１または２に記載の画像再生装置。
【請求項４】
前記画像拡大手段は，
ピント面に相当する画像として選択的に表示合焦させ、かつ複数段階の電子ズーム倍率で順次拡大する間に前記表示位置移動手段によって表示位置が移動されたエリア枠に含まれる画像部分の等倍表示を行う，
請求項１から３のうち，いずれか一項に記載の画像再生装置。
【請求項５】
前記表示画面上に形成されたタッチパネルをさらに備え，
前記表示位置移動手段は，
前記エリア枠を前記タッチパネル上でのタッチ操作による表示位置移動指令に基づいて，前記エリア枠の表示位置を移動する，
請求項１から４のうち，いずれか一項に記載の画像再生装置。
【請求項６】
前記エリア枠を横方向および縦方向に移動する指令を画像再生装置に与える方向指令手段をさらに備え，
前記表示位置移動手段は，
前記方向指令手段からの横方向および縦方向への移動指令に基づいて，前記エリア枠の表示位置を移動する，
請求項１から４のうち，いずれか一項に記載の画像再生装置。
【請求項７】
画像表示制御手段が，複数の視点位置から撮像して得られた多視点画像データから生成された画像を表示装置の表示画面に表示し，
エリア枠表示制御手段が，前記画像の一部領域を拡大する拡大エリアを特定するエリア枠を，前記表示画面に表示される画像上に表示し，
表示位置移動手段が，前記エリア枠表示制御手段によって表示されたエリア枠の表示位置を移動し，
デフォーカス量判定手段が，前記表示位置移動手段によって表示位置が移動する前のエリア枠に含まれる画像部分によって表される被写体と，前記表示位置移動手段によって表示位置が変更した後のエリア枠に含まれる画像部分によって表される被写体と，のデフォーカス量の差が，閾値以上か否かを判定し，
画像拡大手段が，前記デフォーカス量判定手段によって前記デフォーカス量の差が閾値以上と判定されたことにより，前記表示位置移動手段によって表示位置が移動した後のエリア枠に含まれる画像部分を，ピント面に相当する画像として選択的に表示させ、かつ複数段階の電子ズーム倍率で順次拡大する，
画像再生方法。
【請求項８】
画像再生装置のコンピュータを制御するコンピュータが読み取り可能なプログラムであって，
複数の視点位置から撮像して得られた多視点画像データから生成された画像を表示装置の表示画面に表示させ，
前記画像の一部領域を拡大する拡大エリアを特定するエリア枠を，前記表示画面に表示されている画像上に表示させ，
表示されたエリア枠の表示位置を変更させ，
表示位置が変更させられたエリア枠の表示位置が変更する前のエリア枠に含まれる画像部分によって表される被写体と，表示位置が変更した後のエリア枠に含まれる画像部分によって表される被写体と，のデフォーカス量の差が，閾以上か否かを判定させ，
前記デフォーカス量の差が閾値以上と判定されたことにより，表示位置が移動した後のエリア枠に含まれる画像部分を，ピント面に相当する画像として選択的に表示させ、かつ複数段階の電子ズーム倍率で順次拡大するように画像再生装置のコンピュータを制御するプログラム。
【発明の詳細な説明】
【技術分野】
【０００１】
この発明は，画像再生装置，画像再生方法およびそのプログラムに関する。
【背景技術】
【０００２】
原画像からぼけ画像のような出力画像を生成する際，比較的小さな合焦度（ピントがどの程度合っているかを表わす度合い）を有する画像部分を意図的にぼかすことによって,出力画像の被写界深度を入力画像の被写界深度よりも浅くできる。合焦度を用いた画像処理，合焦状態の確認に時間がかかるために，それらを素早く行なうものがある（特許文献１）。
【０００３】
また，ライトフィールドカメラと呼ばれるカメラが実現されている。ライトフィールドカメラでは，撮像素子から得られる画像データに，受光面における光の強度分布に加えて，その光の進行方向の情報も含まれる。これにより，複数の視点，方向からの観察画像を再構築できる。ライトフィールドカメラで得られた画像は，リフォーカスできるので，リフォーカス時におけるユーザの手間を軽減するものがある（特許文献２）。
【先行技術文献】
【特許文献】
【０００４】
【特許文献１】特開2011-239195号公報
【特許文献２】特開2013-254432号公報
【発明の概要】
【発明が解決しようとする課題】
【０００５】
画像に含まれる一部を確認したい場合に，画像の一部を指定するエリア枠を表示し，そのエリア枠内の画像を拡大することがある。しかしながら，エリア枠内の画像を単に拡大したのでは，ぼけていることがある。ライトフィールドカメラから得られた画像であれば，所望の部分をリフォーカスできるので，エリア枠内の画像がぼけることなく，拡大できる。しかしながら，ぼけた画像からリフォーカスした画像に急に切り替わったのでは，ユーザは違和感を覚えてしまう。
【０００６】
この発明は，画像の一部を拡大する場合に，ユーザに違和感を与えないようにすることを目的とする。
【課題を解決するための手段】
【０００７】
この発明による画像再生装置は，複数の視点位置から撮像して得られた多視点画像データから生成された画像を表示装置の表示画面に表示させる画像表示制御手段（ぼけた画像部分をピントが合った画像に調整可能な画像を表示装置の表示画面に表示させる画像表示制御手段），画像の一部領域を拡大する拡大エリアを特定するエリア枠を，表示画面に表示される画像上に表示させるエリア枠表示制御手段，エリア枠表示制御手段によって表示されたエリア枠の表示位置を移動する表示位置移動手段，表示位置移動手段によって表示位置が移動する前のエリア枠に含まれる画像部分と，表示位置移動手段によって表示位置が移動した後のエリア枠に含まれる画像部分と，のデフォーカス量の差（画像のぼけの程度の差）が，閾値以上か否かを判定するデフォーカス量判定手段，およびデフォーカス量判定手段によってデフォーカス量の差が閾値以上と判定されたことにより，表示位置移動手段によって表示位置が移動した後のエリア枠に含まれる画像部分を，ピント面に相当する画像（ピントが合っており，ぼけていない画像）として選択的に表示させ、かつ複数段階の電子ズーム倍率で順次拡大する画像拡大手段を備えていることを特徴とする。
【０００８】
この発明は，画像再生方法も提供している。すなわち，この方法は，画像表示制御手段が，複数の視点位置から撮像して得られた多視点画像データから生成された画像を表示装置の表示画面に表示し，エリア枠表示制御手段が，画像の一部領域を拡大する拡大エリアを特定するエリア枠を，表示画面に表示される画像上に表示し，表示位置移動手段が，エリア枠表示制御手段によって表示されたエリア枠の表示位置を移動し，デフォーカス量判定手段が，表示位置移動手段によって表示位置が移動する前のエリア枠に含まれる画像部分によって表される被写体と，表示位置移動手段によって表示位置が変更した後のエリア枠に含まれる画像部分によって表される被写体と，のデフォーカス量の差が，閾値以上か否かを判定し，画像拡大手段が，デフォーカス量判定手段によってデフォーカス量の差が閾値以上と判定されたことにより，表示位置移動手段によって表示位置が移動した後のエリア枠に含まれる画像部分を，ピント面に相当する画像として選択的に表示させ、かつ複数段階の電子ズーム倍率で順次拡大するものである。
【０００９】
この発明は，画像再生装置のコンピュータを制御するコンピュータが読取可能なプログラムも提供している。そのようなプログラムを格納した記録媒体を提供するようにしてもよい。
【００１０】
画像拡大手段は，デフォーカス量判定手段によってデフォーカス量の差が閾値以上と判定されたことにより，表示位置移動手段によって表示位置が移動した後のエリア枠に含まれる画像部分を，ピント面に相当する画像として選択的に表示させ、かつ複数段階の電子ズーム倍率で，等倍から予め定められた倍率まで順次拡大するようにしてもよい。
【００１１】
画像拡大手段は，デフォーカス量判定手段によってデフォーカス量の差が閾値以上と判定された場合には，表示位置移動手段によって表示位置が移動した後のエリア枠に含まれる画像部分を，第１の時間以内でピント面に相当する画像として選択的に表示させ、かつ複数段階の電子ズーム倍率で順次拡大するものであり，デフォーカス量判定手段によってデフォーカス量の差が閾未満と判定された場合には，表示位置移動手段によって表示位置を移動した後のエリア枠に含まれる画像部分を，第１の時間よりも短い第２の時間で，ピント面に相当する画像として選択的に表示させ、かつ予め定められた電子ズーム倍率まで拡大するようにしてもよい。
【００１２】
画像拡大手段は，ピント面に相当する画像として選択的に表示合焦させ、かつ複数段階の電子ズーム倍率で順次拡大する間に表示位置移動手段によって表示位置が移動されたエリア枠に含まれる画像部分の等倍表示を行うようにしてもよい。
【００１３】
表示画面上に形成されたタッチパネルをさらに備えてもよい。この場合，表示位置移動手段は，エリア枠をタッチパネル上でのタッチ操作による表示位置移動指令に基づいて，エリア枠の表示位置を移動するものとなろう。
【００１４】
エリア枠を横方向および縦方向に移動する指令を画像再生装置に与える方向指令手段をさらに備えてもよい。この場合，表示位置移動手段は，方向指令手段からの横方向および縦方向への移動指令に基づいて，エリア枠の表示位置を移動するものとなろう。
【発明の効果】
【００１５】
この発明によると，複数の視点位置から撮像して得られた多視点画像データから生成された画像が表示画面に表示される。この画像は，ぼけている部分を，ぼけの無い，輪郭がクリアでピントの合った部分に調整できるものである。そのような画像にエリア枠が表示され，そのエリア枠の表示位置が移動（表示位置が変更）させられると，移動前のエリア枠に含まれている画像部分と，移動後のエリア枠に含まれている画像部分と，のデフォーカス量の差（ぼけの程度の差）が閾値以上か否かが判定される。閾値以上と判定されると，移動後のエリア枠内の画像が，ピント面に相当する画像（ぼけの無い画像）となるように，複数段階の電子ズーム倍率で順次拡大されていく。急激に拡大されるのではなく，順次拡大されるので，ユーザは違和感を生じない。しかも，エリア内の画像はぼけの無い画像なので，ユーザは，エリア内の画像が表わしている被写体を把握しやすい。
【図面の簡単な説明】
【００１６】
【図１】ライトフィールドカメラの電気的構成を示すブロック図である。
【図２】ファイル構造の一例である。
【図３】ライトフィールドカメラの処理手順を示すフローチャートである。
【図４】ライトフィールドカメラの処理手順を示すフローチャートである。
【図５】表示される画像の一例である。
【図６】表示される画像の一例である。
【図７】表示される画像の一例である。
【図８】表示される画像の一例である。
【図９】表示される画像の一例である。
【図１０】表示される画像の一例である。
【図１１】表示される画像の一例である。
【図１２】エリア枠内の画像部分の変遷を示している。
【図１３】ライトフィールドカメラの処理手順を示すフローチャートである。
【図１４】エリア枠内の画像部分の変遷を示している。
【実施例】
【００１７】
図１は，この発明の実施例を示すもので，ライトフィールドカメラ（画像再生装置）１の電気的構成を示すブロック図である。
【００１８】
ライトフィールドカメラ１の全体の動作は，ＣＰＵ10によって統括される。
【００１９】
ライトフィールドカメラ１には，指令等を出力するスイッチ，ボタン，操作機器等のユーザインターフェイス13が設けられている。ユーザインターフェイス13から出力された指令等は，ＣＰＵ10に与えられる。
【００２０】
ライトフィールドカメラ１には，撮像装置４が含まれている。この撮像装置４には，多数の光電変換素子を含む撮像素子，メインレンズおよびメインレンズと撮像素子との間に設けられたマイクロレンズアレイ（いずれも図示略）が含まれている。マイクロレンズアレイには，多数のマイクロレンズが形成されており，一つのマイクロレンズに対応して複数の光電変換素子が対応付けられている。このような撮像装置４を用いて被写体を撮像することにより，複数の視点位置から被写体を撮像でき，多視点画像データが得られる。多視点画像データを用いて，リフォーカス処理が行われることにより，所望の画像部分がぼけていないような画像を生成できる。すなわち，撮像範囲の中に存在する所望の被写体にピントを合わせて撮像した場合に得られる画像（ピント面に相当する画像）を，多視点画像データを用いて撮像後に生成できるようになる。
【００２１】
撮像装置４から出力された多視点画像データは，メモリ制御装置７の制御のもとに，メモリカードのような外部メモリ（記録媒体）５に記録される。撮像装置４からは，画像を構成する画素ごとに，カメラ１から被写体までの距離を示す距離データも出力される。距離データもメモリ制御装置７の制御のもとに外部メモリ５に記録される。
【００２２】
図１に示すライトフィールドカメラ１は再生機能も有している。ユーザインターフェイス13によって再生モードが指定され，かつ再生する画像が指定されると，その指定れた画像に対応する多視点画像データが外部メモリ５から読み取られる。読み取られた多視点画像データは，リフォーカス演算装置11においてリフォーカス処理される。リフォーカス処理により，あらかじめ定められた距離に存在する被写体にピントを合わせた画像を表わす画像データが得られる。リフォーカス処理により得られた画像データによって表わされる画像が，グラフィックプロセッサ８により，表示装置９の表示画面に表示される。もちろん，あらかじめ定められた距離に存在する被写体にピントを表わせた画像が表示されるのではなく，その他の被写体にピントを合わせた画像が表示されるようにしてもよいのはいうまでもない。また，画像解析装置６によって，画像の中に含まれる特定の被写体（人物，顔，動物，建物など）を検出し，検出された特定の被写体にピントを合わせた画像が表示されるようにしてもよい。
【００２３】
詳しくは後述するように，この実施例では，表示装置９の表示画面にエリア枠を表示できる。このエリア枠内の画像部分は，エリア枠以外の画像部分に比べて拡大して表示される。また，エリア枠を移動させることもでき，その移動のためにタッチパネル12および上下左右の矢印が押下可能に形成されている矢印ボタン16が設けられている。表示画面に表示されているエリア枠を，タッチパネル12上で指などを用いてなぞることにより，エリア枠が移動する。このように，タッチパネル12上でのタッチ操作による表示位置移動指令にもとづいてエリア枠の表示位置を移動できる。また，矢印ボタン16に形成されている矢印が押されることにより，押された矢印の方向にエリア枠が移動する。このように，矢印ボタン16のような方向指令手段により，横方向（左右方向）および縦方向（上下方向）への移動指令にもとづいてエリア枠の表示位置を移動できる。エリア枠の移動指令を発生させるものはタッチパネル12または矢印ボタン16に限らない。
【００２４】
エリア枠が移動させられる場合，エリア枠の移動前後のエリア枠内の画像部分のデフォーカス量（ぼけ量）の差が算出される。算出されたデフォーカス量の差が閾値以上の場合には，移動後のエリア枠内の画像部分が複数段階の電子ズーム倍率で順次拡大される。
【００２５】
また，ライトフィールドカメラ１には，インターネットなどと接続するためのネットワークインターフェイス２，データを一時的に記憶するＲＡＭ３，メモリ14なども含まれている。後述する動作を制御するプログラムが外部メモリ５に格納されている場合には，そのプログラムが外部メモリ５から読み出され，ライトフィールドカメラ１にインストールされるようにしてもよい。また，そのようなプログラムは，ネットワークを介してライトフィールドカメラ１において受信し，ライトフィールドカメラ１にインストールされるようにしてもよい。もっとも，カメラ機能を持たない再生装置に後述する動作を行わせるようにしてもよい。
【００２６】
図２は，外部メモリ５に記録されたファイルのファイル構造（データ構造）の一例である。
【００２７】
ファイルには，ヘッダ領域および画像データ記録領域が含まれている。ヘッダ領域には，ファイルを管理するデータが記録される。画像データ記録領域には，上述した多視点画像データが記録される。多視点画像データに対応する距離データはヘッダ領域に記録される。
【００２８】
図３および図４は，ライトフィールドカメラ１の処理手順のうち，エリア枠の移動に関する処理手順を示すフローチャートである。
【００２９】
上述のように，ライトフィールドカメラ１が再生モードとされ，かつ所望の画像が指定されると，ＣＰＵ10の制御のもとにグラフィックプロセッサ（画像表示制御手段）８によって，表示装置９の表示画面には，図５に示すように，多視点画像データから生成された画像40が表示させられる（ステップ21）。また，ＣＰＵ10の制御のもとにグラフィックプロセッサ（エリア枠表示制御手段）８によって，表示装置９の表示画面に表示される画像上に，画像の一部領域を拡大する拡大エリアを特定するエリア枠50が表示させられる（ステップ22）。
【００３０】
図５は，表示装置９の表示画面９に表示される画像40の一例である。
【００３１】
画像40は，ピントが合っている（ぼけていない）画像部分41とピントが合っていない（ぼけている）画像部分42とが含まれている。上述のように，ユーザによって指定された部分（例えば，タッチパネル12でタッチされた部分など）のぼけを解消させるリフォーカス処理がリフォーカス演算装置11において行われることにより，図５に示す画像40が得られる。
【００３２】
ユーザから，上述したようにタッチパネル12などを用いて，エリア枠50の移動指令があると（ステップ23でＹＥＳ），エリア枠50の表示位置が，ＣＰＵ10の制御のもとにグラフィックプロセッサ８によって移動させられる（表示位置移動手段）（ステップ24）。移動させられた位置にエリア枠50が表示される（ステップ25）。すると，エリア枠50の表示位置が移動する前のエリア枠50に含まれる画像部分と，エリア枠50の表示位置が移動した後のエリア枠50に含まれる画像部分と，のデフォーカス量（ぼけ量）の差がＣＰＵ10によって算出される（ステップ26）。エリア枠50に含まれる画像部分のデフォーカス量は，その画像部分の高周波数成分の量を算出することにより得られる。高周波数成分が多ければ鮮鋭な画像であるからデフォーカス量は少なく，高周波数成分が少なければデフォーカス量は多い。エリア枠50内の画像部分を表わす画像データをローパスフィルタ（またハイパスフィルタ）に通過させ，ローパスフィルタ（またはハイパスフィルタ）を通過したデータ量から，デフォーカス量およびその差を算出できる。算出されたデフォーカス量の差が閾値以上か否かがＣＰＵ10によって判定される（ステップ27）（デフォーカス量判定手段）。
【００３３】
まず，図６に示すように，エリア枠50がぼけていない画像部分41から下方に移動させられたものとする。移動後のエリア枠50に含まれている画像部分もぼけていないものとする。すると，移動前のエリア枠50に含まれている画像部分のデフォーカス量と移動後のエリア枠50に含まれている画像部分のデフォーカス量との差は，閾値未満となる（ステップ27でＮＯ）。移動後のエリア枠50に含まれている画像部分は，ぼけていないから，鮮鋭となるような処理（リフォーカス処理）を行う必要は必ずしも無い。このために，エリア枠50内の画像部分は，リフォーカス処理が行われることなく，あらかじめ定められた電子ズーム倍率で拡大される（ステップ28）。図７に示すように，エリア枠50内の画像部分があらかじめ定められた電子ズーム倍率で拡大された画像40Ａが，表示装置９の表示画面に表示されるようになる。
【００３４】
次に，図８に示すように，エリア枠50がぼけていない画像部分から斜め右下方向に移動させられたものとする。移動後のエリア枠50に含まれている画像部分はぼけているものとする。すると，移動前のエリア枠50に含まれている画像部分のデフォーカス量と移動後のエリア枠50に含まれている画像部分のデフォーカス量との差は，閾値以上となる（ステップ27でＹＥＳ）。エリア枠50に含まれている画像部分はぼけているのでリフォーカス演算装置11によってリフォーカス処理が行われる（ステップ30）。多視点画像データには，撮像時において撮像素子に入射した光線の方向までも含まれている。リフォーカス処理では，光線の進行方向に応じて，マイクロレンズに対応した，撮像素子の複数のフォトダイオードから得られるデータごとに重み係数を乗じて重み付けを行い，積分処理が行われる。このために，撮像素子への入射角が小さい光線を表わすデータほど，重み付けを弱くして積分処理を行い画像を再構築することにより，ぼけのない画像部分を生成できる。図９に示すように，リフォーカス処理された画像部分51が，表示装置９の表示画面に等倍表示される（ステップ31）。
【００３５】
つづいて，一段階拡大されるような電子ズーム倍率で，エリア枠50内の画像部分が拡大される（ステップ32）。拡大された画像部分についてもリフォーカス処理が行われる。図10に示すように，エリア枠50に含まれる画像部分52が，リフォーカス処理され，かつ拡大されている画像が表示装置９の表示画面に表示される。
【００３６】
エリア枠50に含まれる画像部分が所定の倍率まで拡大されていなければ（ステップ34でＮＯ），再びステップ32および33の処理が繰り返される。これにより，図11に示すように，エリア枠50に含まれる画像部分53が，リフォーカス処理され，かつ拡大されている画像が表示装置９の表示画面に表示される。図11においては，エリア枠50に含まれる画像部分53が拡大されたことにより，遠方に動物が存在することが分る。エリア枠50に含まれる画像部分53は単に拡大されるのではなく，ぼけが解消されているから，被写体を把握しやすい。しかも，この実施例では，エリア枠50に含まれる画像部分は等倍表示から，あらかじめ定められた電子ズーム倍率まで一度に拡大するのではなく，図12に示すように，複数段階の電子ズーム倍率で順次拡大して表示されるから，違和感なく，拡大表示された被写体を観察できる。
【００３７】
所定の電子ズーム倍率で拡大されるまで，ステップ32および33の処理が繰り返される（ステップ34）。
【００３８】
図13および図14は，変形例を示している。
【００３９】
図13は，ライトフィールドカメラ１の処理手順の一部を示すフローチャートであり，図４に対応する。図13において，図４に示す処理と同一の処理については同一符号を付して説明を省略する。図14は，エリア枠50内の画像部分の変遷を示すもので，図12に示すものと対応する。
【００４０】
この変形例では，エリア枠50の移動後にエリア枠50に含まれる画像を電子ズーム倍率で順次拡大する間に，エリア枠に含まれる画像部分の等倍表示を行なうものである。
【００４１】
上述したのと同様に，エリア枠50の移動前後のエリア枠50内の画像部分のデフォーカス量の差が閾値以上であると（ステップ27でＹＥＳ），エリア枠50内の画像がリフォーカス処理され（ステップ30），等倍表示される（ステップ31）。等倍の画像部分51がエリア枠50内に現れる。つづいて，エリア枠50に含まれる画像部分が以前の拡大表示よりもさらに一段階拡大してリフォーカス処理が行われる（ステップ32Ａ）。エリア枠50の移動直後では，以前に拡大表示されていないから，等倍よりも一段階拡大される。拡大された画像部分52がエリア枠50内に表示される（ステップ33）。あらかじめ定められた倍率まで拡大されていなければ（ステップ34でＮＯ），エリア枠50に含まれる画像が等倍とされ，かつリフォーカス処理される（ステップ31）。等倍表示された画像部分51が再びエリア枠50内に表示される（ステップ31）。つづいて，エリア枠50内の画像が以前の拡大表示よりもさらに一段階拡大され，リフォーカス処理される（ステップ32Ａ）。以前に拡大された画像部分52よりもさらに拡大された画像部分53がエリア枠50内に現れる。
【００４２】
エリア枠50に含まれる画像部分は，等倍の画像部分51，拡大の画像部分52，等倍の画像部分51，拡大の画像部分53というように，拡大表示の間に等倍表示が現れるようになる。
【００４３】
上述の実施例では，エリア枠50の移動後にエリア枠50内の画像を等倍表示してから，順次拡大しているが，必ずしも等倍表示する必要は無い。
【００４４】
図12または図14に示すように，移動後のエリア枠50に含まれる画像部分が，エリア枠50が移動された後からあらかじめ定められた電子ズーム倍率で拡大されるまでの時間（拡大された画像部分53が表示されるまでの時間，第１の時間）よりも，デフォーカス量の差が閾値未満でエリア枠50内の画像が拡大されない場合に，エリア枠50が移動された後からエリア枠内の画像が拡大表示されるまでの時間（第２の時間）の方が短いことが好ましい。複数段階での拡大画像部分の切り替わりがスムーズとなり，ユーザはより違和感を持たないようになる。
【００４５】
さらに，上述した実施例では，デフォーカス量はエリア枠50に含まれている高周波数成分（低周波数成分）の量に応じて算出しているが，距離データを利用して算出することもできる。たとえば，移動前のエリア枠50に含まれている画像部分が表す実空間上の被写体まで距離（撮像時におけるカメラから被写体までの距離）と，移動後のエリア枠50に含まれている画像部分が表わす実空間上の被写体までの距離が閾値以上であれば，デフォーカス量の差が閾値以上と判断し，その距離が閾値未満であればデフォーカス量の差が閾値未満と判断できる。
【符号の説明】
【００４６】
１  ライトフィールドカメラ（画像再生装置）
８  グラフィックプロセッサ（画像表示制御手段，エリア枠表示制御手段）
９  表示装置
10  ＣＰＵ（画像表示制御手段，エリア枠表示制御手段，表示位置移動手段，デフォーカス量判定手段，画像拡大手段）
12  タッチパネル
16  矢印ボタン（方向指令手段）
【図１】
2015186187.tif 000003
【図２】
2015186187.tif 000004
【図３】
2015186187.tif 000005
【図４】
2015186187.tif 000006
【図５】
2015186187.tif 000007
【図６】
2015186187.tif 000008
【図７】
2015186187.tif 000009
【図８】
2015186187.tif 000010
【図９】
2015186187.tif 000011
【図１０】
2015186187.tif 000012
【図１１】
2015186187.tif 000013
【図１２】
2015186187.tif 000014
【図１３】
2015186187.tif 000015
【図１４】
2015186187.tif 000016